(57)【特許請求の範囲】
【請求項１】
目地部分に弾性拡縮構造体又は弾性拡縮材料よりなり、建築物の内部から挿入可能であり、外部からの雨水等が目地内部に浸入することを遮断するための遮断部と、この遮断部に一体形成された内部中空の環状部と、前記遮断部よりも内方側で、且つ、前記環状部の挿入方向先端部側の左右側面に一体形成され、該環状部の外面とシール面との間を通して該環状部の外面と該シール面との隙間を充填されるシーリング材を受け止めるための受け部とから構成された定型シール部材を用い、前記定型シール部材を建築物の内部から挿入したのち、前記不定型弾性シーリング材を前記受け部に建築物の内部から前記環状部の外面と前記シール面との間を通して充填してシールを行うシール方法。
【請求項２】
目地部分に弾性拡縮構造体又は弾性拡縮材料よりなる定型シール部材を建築物の内部から挿入可能に構成し、前記定型シール部材を、外部からの雨水等が目地内部に浸入することを遮断するための遮断部と、この遮断部に一体形成された内部中空の環状部と、前記遮断部よりも内方側で、且つ、前記環状部の挿入方向先端部側の左右側面に一体形成され、該環状部の外面とシール面との間を通して該環状部の外面と該シール面との隙間を充填するためのシーリング材を受け止めるための受け部とから構成してなるシール部材。
【発明の詳細な説明】
【０００１】
【発明の属する技術分野】
本発明は外装パネル、ガラス目地、サッシ回り等の建築物の目地部分に利用されるシール方法及びそれに用いるシール部材に関する。
【０００２】
【従来の技術】
外装パネル等の目地部分には、雨水の浸入防止のためのシーリング処理が施されている。例えば、本願出願人が先に提案している特開平７−７６８８９号公報のものがある。これは、目地部分に流動性を有する不定型弾性シーリング材を建築物外部から充填したのち、笠部と脚部とからなる略Ｔ字形状の定型シール部材を建築物外部から挿入することによって、目地部分のシールを行うようにしている。
【０００３】
前記定型シール部材が建築物外部から挿入するように構成されていたため、例えば２階建て以上の建築物の目地部分に建築物外部から不定型弾性シーリング材や定型シール部材を充填、挿入するためには、建築物の壁面に沿って足場を組み、この足場を使ってシール作業を行うことが行われている。
【０００４】
上記のように建築物の壁面に沿って足場を組むための足場、組付費用を要し、コスト高になるだけでなく、足場を組むための時間が必要になり、シール作業を行う前に時間を取られてしまうこと等の不都合があった。特に高層ビルのシール作業においては、前記不都合がより一層顕著になるものであった。又、前記足場は一般的には人が移動できる程度の幅の狭いものであるため、足場上でのシール作業が危険であり、作業動作が制限されるものであった。
【０００５】
【発明が解決しようとする課題】
本発明が前述の状況に鑑み、解決しようとするところは、足場を組むことがなく、しかも安定よく安全、安価にシール作業が行えるようにする点にある。
【０００６】
【課題を解決するための手段】
本発明は、前述の課題解決のために、目地部分に弾性拡縮構造体又は弾性拡縮材料よりなり、建築物の内部から挿入可能であり、外部からの雨水等が目地内部に浸入することを遮断するための遮断部と、この遮断部に一体形成された内部中空の環状部と、前記遮断部よりも内方側で、且つ、前記環状部の挿入方向先端部側の左右側面に一体形成され、該環状部の外面とシール面との間を通して該環状部の外面と該シール面との隙間を充填されるシーリング材を受け止めるための受け部とから構成された定型シール部材を用い、前記定型シール部材を建築物の内部から挿入したのち、前記不定型弾性シーリング材を前記受け部に建築物の内部から前記環状部の外面と前記シール面との間を通して充填してシールを行うのである。従って、建築物の内部であり、床スラブ等の面積のある安定場所の上でシール作業を行うことができる。
【０００７】
目地部分に弾性拡縮構造体又は弾性拡縮材料よりなる定型シール部材を建築物の内部から挿入可能に構成し、前記定型シール部材を、外部からの雨水等が目地内部に浸入することを遮断するための遮断部と、この遮断部に一体形成された内部中空の環状部と、前記遮断部よりも内方側で、且つ、前記環状部の挿入方向先端部側の左右側面に一体形成され、該環状部の外面とシール面との間を通して該環状部の外面と該シール面との隙間を充填するためのシーリング材を受け止めるための受け部とから構成してなるから、遮断部が外部からの雨水や紫外線等を遮断することによって、それらの浸入による不定型弾性シーリング材の劣化を回避することができるとともに、内部中空の環状部が目地間隔の拡縮変動に伴って拡縮変形することによって、不定型弾性シーリング材が受ける引っ張り力や圧縮力を軽減することができる。
【０００８】
【発明の実施の形態】
本発明の詳細を、図示した実施例に基づいて説明する。図１（イ），（ロ），（ハ）は本発明の第１実施例を断面図として示したものである。図例のものは２枚の外装パネル１、１間の目地部分２に定型シール部材３を建築物の内部から挿入することができるように構成し、この定型シール部材３の挿入後に適量の不定型弾性シーリング材４を受け取るための受け部５を該定型シール部材３に備えさせ、定型シール部材３を建築物の内部Ａから挿入したのち、不定型弾性シーリング材４を受け部５に建築物の内部Ａから充填して目地部分２のシールを行うようにしている。
【０００９】
前記定型シール部材３は、外部Ｂからの雨水や紫外線等が目地内部に浸入することを遮断するための遮断部としての笠部６と、この笠部６に一体形成された内部中空の環状部７と、前記笠部６よりも内方側で、且つ、前記環状部７の挿入方向先端部側の左右側面に一体形成された前記受け部５とから構成されている。
【００１０】
前記笠部６は、左右中央の先端部６Ａと、この先端部６Ａの左右端部から外装パネル１，１のシール面１Ａ，１Ａに渡って延出された延出部６Ｂ，６Ｂとから構成するとともに、挿入前の笠部６の左右幅を目地部分２のシール面１Ａ，１Ａ間の寸法よりも大きく設定することによって、定型シール部材３を挿入したとき、定型シール部材３の弾性復帰力により定型シール部材３の延出部６Ｂ，６Ｂ先端部がシール面１Ａ，１Ａに押圧することによって、外部からの雨水や紫外線等が目地内部に浸入することを遮断することができるようにしている。図１（ロ），（ハ）に示すように、笠部６の後端面とこれに挿入方向で対向位置する受け部５の前端面とシール面１Ａとで空間８，８が形成され、この空間８，８内に入った雨水は重力により下方に移動し、外部に排出することができるようにしている。
【００１１】
前記受け部５は、前記先端部６Ａの後端部に二股状に分岐した二股部の左右側面からそれぞれ延出されるとともに、挿入前の受け部５，５の左右端部幅を目地部分２のシール面１Ａ，１Ａ間の寸法よりも大きく設定することによって、定型シール部材３を挿入したとき、定型シール部材３の弾性復帰力により定型シール部材３の受け部５先端部がシール面１Ａ，１Ａに押圧することによって、受け部５にて受け止められる不定型弾性シーリング材４が受け部５先端部とシール面１Ａとの間から笠部６側に漏れ出すことがないようにしている。
【００１２】
図２において（イ）は冬期等における目地間隔が拡がった場合、（ロ）は逆に夏期等において間隔が狭まった場合を表している。目地間隔が拡がることによって、不定型弾性シーリング材４がシール面１Ａ，１Ａ側に引っ張られると、これに伴って環状部７が引っ張られ、伸長方向に変形することによって、シール面１Ａ，１Ａ側から不定型弾性シーリング材４への引っ張り力を軽減することができ、不定型弾性シーリング材４がシール面１Ａ，１Ａ及び定型シール部材３から剥離することがないようにして、目地間隔の拡がりを良好に吸収することができるようにしている。又、目地間隔が狭くなることによって、不定型弾性シーリング材４がシール面１Ａ，１Ａ側から圧縮力を受けると、不定型弾性シーリング材４が収縮するとともに、環状部７が収縮するのである。
【００１３】
前記定型シール部材３を構成する笠部６と環状部７を一体形成する他、別々に形成し、それらを合体するようにしてもよい。又、前記笠部６を省略して実施してもよい。
【００１４】
そして、上記不定型弾性シーリング材４や定型シール部材３に用いる材料の具体例としては、例えば不定型弾性シーリング材４としては従来ＪＩＳに規定される主成分による区分で、シリコーン系、変性シリコーン系、ポリサルファイド系、変性ポリサルファイド系、アクリルウレタン系、ポリウレタン系、アクリル系、ＳＢＲ系、ブチルゴム系のもの、それ以外のＪＩＳに規定されていない含フッ素ポリマー、ホットメルトタイプの弾性シーリング材等が、定型シール部材３としてはシリコーン系、クロロプレン系、ＥＰＤＭ系等の既知の加硫ゴム、ポリウレタン、ＳＩＳ、変性ポリオレフィン、クロルスルフォン化ポリエチレン等の熱可塑性エラストマー、またＰＶＣのような汎用プラスチックやポリカーボネート、ナイロン等エンプラと称される熱可塑性プラスチック、ポリイミド等のスーパーエンプラが使用でき、ステンレス、アルミニウム等の金属やＦＲＰ等の複合材料も使用することができる。更に笠部をシリコーンゴムのような耐候性に優れた部材と、脚部に不定型弾性シーリング材と接着しやすいクロロプレンゴムを組み合わせて作ることもできる。
【００１５】
続いて本発明の目地構造のシール工法について説明する。先ず目地部分２に建築物の内部Ａから定型シール部材３を挿入する。このとき、定型シール部材３とシール面１Ａ，１Ａとの間に隙間が生じないように、目地間隔よりも若干広い笠部６のものを圧入することが有効である。こののち、定型シール部材３の受け部５に初期においてある程度の流動性を有する不定型弾性シーリング材４を充填する。時間経過後、不定型弾性シーリング材４が硬化して弾性材となる。この時、充填する不定型弾性シーリング材４の量は、外装パネル１，１の後端面１Ｂ，１Ｂと略一致するように設定する。
【００１６】
前記定型シール部材３を、図３（イ），（ロ）に示すように、笠部６と受け部５とを水平方向に一直線状に延出して構成してもよい。この場合、環状部７の後端面が外装パネル１，１の後端面１Ｂ，１Ｂとが面一状になるように定型シール部材３を挿入してもよい。又、前記定型シール部材３を、図４（イ），（ロ）に示すように、笠部６と受け部５とを水平方向に一直線状に延出するとともに、環状部７を板状部に形成して構成してもよい。
【００１７】
【発明の効果】
請求項１によれば、定型シール部材を建築物の内部から挿入可能に構成することによって、定型シール部材は勿論のこと、不定型弾性シーリング材をも建築物の内部から充填することができるようになり、従来のように建築物の外部から挿入する場合に必要となる足場を組むことが不要になり、コスト高、工事期間（工期）の長期化、および作業の危険性、天候による影響等を回避することができるだけでなく、床スラブ等の広い場所で定型シール部材及び不定型弾性シーリング材を安定姿勢で安全に充填、挿入することができ、シール作業の容易迅速化を図ることができる。更に、通常の建築物の目地のシール構造に施されるバックアップ材を不要とすることができる。
【００１８】
請求項２によれば、遮断部を設けることによって、外部からの雨水や紫外線等を遮断することができるから、不定型弾性シーリング材が雨水や紫外線等により劣化時期が早まることを回避することができる。又、目地間隔の変動に伴って環状部が変形することができるから、不定型弾性シーリング材に作用する拡縮力の軽減を図ることができ、特に目地間隔が拡大方向に変動した場合に不定型弾性シーリング材に作用する引っ張り力により不定型弾性シーリング材がシール面及び定型シール部材から剥離してしまうことを回避することができる利点がある。
【図面の簡単な説明】
【図１】本発明の目地構造の一例を表す断面説明図で、（イ）は定型シール部材の挿入前を示す断面図、（ロ）は定型シール部材を挿入した状態を示す断面図、（ハ）は定型シール部材及び不定型弾性シーリング材を挿入、充填した状態を示す断面図である。
【図２】本発明の目地構造の一例を表す断面説明図で、（イ）は冬期等で目地間隔が拡がった場合、（ロ）は夏期等で目地間隔が狭まった場合を示す。
【図３】本発明の目地構造の一例を表す断面説明図で、（イ）は定型シール部材の挿入前を示す断面図、（ロ）は定型シール部材及び不定型弾性シーリング材を挿入、充填した状態を示す断面図である。
【図４】本発明の目地構造の一例を表す断面説明図で、（イ）は定型シール部材の挿入前を示す断面図、（ロ）は定型シール部材及び不定型弾性シーリング材を挿入、充填した状態を示す断面図である。
【符号の説明】
１  外装パネル
1A  シール面
1B  後端面
２  目地部分
３  定型シール部材
４  不定型弾性シーリング材
５  受け部
６  笠部( 遮断部)
6A  先端部
6B  延出部
７  環状部
８  空間
Ａ  内部
Ｂ  外部
【図１】
0003785690.tif 000002
【図２】
0003785690.tif 000003
【図３】
0003785690.tif 000004
【図４】
0003785690.tif 000005